【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
複数のチャネル上で送信するためのフレームを生成するように構成された処理システムと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、ショートトレーニングフィールド（ＳＴＦ）およびチャネル推定（ＣＥ）のための情報を持ったフィールドを具備する第２の情報と、そして、ここで、前記第２の情報は、前記フレームの送信の間に、前記複数のチャネル間のギャップを占有し、前記ギャップの各々は、前記チャネルの各々の幅の、おおよそ１／４であり、ｎ個のチャネルについて、前記第２の情報は、ｎ−１個のギャップを占有し、ｎは、１より大である整数であり、
前記複数のチャネルおよび前記ギャップにまたがる部分とを有し、
送信のための前記フレームを出力するためのインターフェースと、
を具備する、装置。
【請求項２】
前記複数のチャネルは、少なくとも２つの隣接するチャネルを具備する、請求項１の装置。
【請求項３】
前記複数のチャネルは、前記第１のタイプのデバイスと通信するために指定されたチャネルを具備する、請求項１の装置。
【請求項４】
前記フレームは、前記第１および第２のタイプのデバイスによって復号可能で、前記第１の情報と同一のチャネルを占有する第３の情報をさらに具備する、請求項１の装置。
【請求項５】
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、請求項１の装置。
【請求項６】
前記フレームを送信するための送信機をさらに具備し、前記装置は、アクセスポイントとして構成される、請求項１の装置。
【請求項７】
ワイヤレス通信のための装置であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、ショートトレーニングフィールド（ＳＴＦ）およびチャネル推定（ＣＥ）のための情報を持ったフィールドを具備する第１の情報と、前記第１の情報は、前記複数のチャネル間のギャップを占有し、前記ギャップの各々は、前記チャネルの各々の幅の、おおよそ１／４であり、ｎ個のチャネルについて、前記第１の情報は、ｎ−１個のギャップを占有し、ｎは、１より大である整数であり、
前記複数のチャネルおよび前記ギャップにまたがる第２の部分とを有するフレームを取得するためのインターフェースと、
前記第１の情報および前記第１の部分における１つ以上のフィールドに少なくとも一部基づいて、チャネル推定を生成し、前記チャネル推定に基づいて、前記第２の部分の少なくともいくつかを復号するように構成された処理システムと、
を具備する、装置。
【請求項８】
前記第１の部分の前記１つ以上のフィールドは、ショートトレーニングフィールド（ＳＴＦ）、またはヘッダーフィールドの内の少なくとも１つを具備する、請求項７の装置。
【請求項９】
前記複数のチャネルは、少なくとも２つの隣接するチャネルを具備する、請求項７の装置。
【請求項１０】
前記複数のチャネルは、前記第１のタイプのデバイスと通信するために指定されたチャネルを具備する、請求項７の装置。
【請求項１１】
前記フレームは、前記第１および第２のタイプのデバイスによって復号可能で、前記第１の部分と同一のチャネルを占有する第２の情報をさらに具備し、
前記処理システムは、前記第２の情報に基づいて、前記第２の部分に含まれたデータを復号するように構成された、請求項７の装置。
【請求項１２】
前記第２の部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し、
前記処理システムは、前記ＳＴＦ、またはＣＥのための情報を持った前記フィールドの内の前記少なくとも１つに基づいて、前記第２の部分に含まれたデータを復号するように構成された、請求項７の装置。
【請求項１３】
前記フレームを受信するための受信機をさらに具備し、前記装置は、ユーザ端末として構成される、請求項７の装置。
【請求項１４】
装置によるワイヤレス通信のための方法であって、
複数のチャネル上で送信するためのフレームを生成することと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、ショートトレーニングフィールド（ＳＴＦ）およびチャネル推定（ＣＥ）のための情報を持ったフィールドを具備する第２の情報と、そして、ここで、前記第２の情報は、前記フレームの送信の間に、前記複数のチャネル間のギャップを占有し、前記ギャップの各々は、前記チャネルの各々の幅の、おおよそ１／４であり、ｎ個のチャネルについて、前記第２の情報は、ｎ−１個のギャップを占有し、ｎは、１より大である整数であり、
前記複数のチャネルおよび前記ギャップにまたがる部分とを有し、
送信のための前記フレームを出力することと、
を具備する、方法。
【請求項１５】
前記複数のチャネルは、少なくとも２つの隣接するチャネルを具備する、請求項１４の方法。
【請求項１６】
前記複数のチャネルは、前記第１のタイプのデバイスと通信するために指定されたチャネルを具備する、請求項１４の方法。
【請求項１７】
前記第２の情報は、ヘッダー情報をさらに具備する、請求項１４の方法。
【請求項１８】
前記フレームは、前記第１および第２のタイプのデバイスによって復号可能で、前記第１の情報と同一のチャネルを占有する第３の情報をさらに具備する、請求項１４の方法。
【請求項１９】
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、請求項１４の方法。
【請求項２０】
装置によるワイヤレス通信のための方法であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、ショートトレーニングフィールド（ＳＴＦ）およびチャネル推定（ＣＥ）のための情報を持ったフィールドを具備する第１の情報と、前記第１の情報は、前記複数のチャネル間のギャップを占有し、前記ギャップの各々は、前記チャネルの各々の幅の、おおよそ１／４であり、ｎ個のチャネルについて、前記第１の情報は、ｎ−１個のギャップを占有し、ｎは、１より大である整数であり、
前記複数のチャネルおよび前記ギャップにまたがる第２の部分とを有するフレームを取得することと、
前記第１の情報および前記第１の部分における１つ以上のフィールドに少なくとも一部基づいて、チャネル推定を生成することと、
前記チャネル推定に基づいて、前記第２の部分の少なくともいくつかを復号することと、
を具備する、方法。
【請求項２１】
前記第１の部分の前記１つ以上のフィールドは、ショートトレーニングフィールド（ＳＴＦ）、またはヘッダーフィールドの内の少なくとも１つを具備する、請求項２０の方法。
【請求項２２】
前記複数のチャネルは、少なくとも２つの隣接するチャネルを具備する、請求項２０の方法。
【請求項２３】
前記複数のチャネルは、前記第１のタイプのデバイスと通信するために指定されたチャネルを具備する、請求項２０の方法。
【請求項２４】
前記第１の情報は、ヘッダー情報を具備する、請求項２０の方法。
【請求項２５】
前記フレームは、前記第１および第２のタイプのデバイスによって復号可能で、前記第１の部分と同一のチャネルを占有する第２の情報をさらに具備し、
前記方法は、前記第２の情報に基づいて、前記部分に含まれたデータを復号することを具備する、請求項２０の方法。
【請求項２６】
前記第２の部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し
前記方法は、前記ＳＴＦ、またはＣＥのための情報を持った前記フィールドの内の前記少なくとも１つに基づいて、前記第２の部分に含まれたデータを復号することを具備する、請求項２０の方法。
【手続補正２】
【補正対象書類名】明細書
【補正対象項目名】００６４
【補正方法】変更
【補正の内容】
【００６４】
[0073]  本願の特許請求の範囲が、上記で例証された、まさにその構成およびコンポーネントのみに限定されないことが、理解されるべきである。様々な修正、変更、および変形が、上記で説明された方法および装置の配置、動作および詳細において、特許請求の範囲から逸脱することなく行われ得る。
以下に本願の出願当初の特許請求の範囲に記載された発明を付記する。
［Ｃ１］
ワイヤレス通信のための装置であって、
複数のチャネル上で送信するためのフレームを生成するように構成された処理システムと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力するためのインターフェースと、
を具備する、装置。
［Ｃ２］
前記複数のチャネルは、少なくとも２つの隣接するチャネルを具備する、Ｃ１の装置。
［Ｃ３］
前記複数のチャネルは、前記第１のタイプのデバイスと通信するために指定されたチャネルを具備する、Ｃ１の装置。
［Ｃ４］
前記第２の情報は、前記チャネルの各々の幅の、おおよそ１／４であるギャップを占有する、Ｃ１の装置。
［Ｃ５］
前記第２の情報は、ショートトレーニングフィールド（ＳＴＦ）、またはチャネル推定（ＣＥ）のための情報を持ったフィールドの内の少なくとも１つを具備する、Ｃ１の装置。
［Ｃ６］
前記フレームは、前記第１および第２のタイプのデバイスによって復号可能で、前記第１の情報と同一のチャネルを占有する第３の情報をさらに具備する、Ｃ１の装置。
［Ｃ７］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、Ｃ１の装置。
［Ｃ８］
ワイヤレス通信のための装置であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有するフレームを取得するためのインターフェースと、
前記第１の情報および前記第１の部分における１つ以上のフィールドに少なくとも一部基づいて、チャネル推定を生成し、前記チャネル推定に基づいて、前記第２の部分の少なくともいくつかを復号するように構成された処理システムと、
を具備する、装置。
［Ｃ９］
前記第１の部分の前記１つ以上のフィールドは、ショートトレーニングフィールド（ＳＴＦ）、またはヘッダーフィールドの内の少なくとも１つを具備する、Ｃ８の装置。
［Ｃ１０］
前記複数のチャネルは、少なくとも２つの隣接するチャネルを具備する、Ｃ８の装置。
［Ｃ１１］
前記複数のチャネルは、前記第１のタイプのデバイスと通信するために指定されたチャネルを具備する、Ｃ８の装置。
［Ｃ１２］
前記第１の情報は、前記チャネルの各々の幅の、おおよそ１／４であるギャップを占有する、Ｃ８の装置。
［Ｃ１３］
前記第１の情報は、ショートトレーニングフィールド（ＳＴＦ）、またはチャネル推定（ＣＥ）およびヘッダーを持ったフィールドの内の少なくとも１つを具備する、Ｃ８の装置。
［Ｃ１４］
前記フレームは、前記第１および第２のタイプのデバイスによって復号可能で、前記第１の部分と同一のチャネルを占有する第２の情報をさらに具備し、
前記処理システムは、前記第２の情報に基づいて、前記第２の部分に含まれたデータを復号するように構成された、Ｃ８の装置。
［Ｃ１５］
前記第２の部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し、
前記処理システムは、前記ＳＴＦ、またはＣＥのための情報を持った前記フィールドの内の少なくとも１つに基づいて、前記第２の部分に含まれたデータを復号するように構成された、Ｃ８の装置。
［Ｃ１６］
装置によるワイヤレス通信のための方法であって、
複数のチャネル上で送信するためのフレームを生成することと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力することと、
を具備する、方法。
［Ｃ１７］
前記複数のチャネルは、少なくとも２つの隣接するチャネルを具備する、Ｃ１６の方法。
［Ｃ１８］
前記複数のチャネルは、前記第１のタイプのデバイスと通信するために指定されたチャネルを具備する、Ｃ１６の方法。
［Ｃ１９］
前記第２の情報は、前記チャネルの各々の幅の、おおよそ１／４であるギャップを占有する、Ｃ１６の方法。
［Ｃ２０］
前記第２の情報は、ショートトレーニングフィールド（ＳＴＦ）、またはチャネル推定（ＣＥ）のための情報を持ったフィールドの内の少なくとも１つを具備する、Ｃ１６の方法。
［Ｃ２１］
前記フレームは、前記第１および第２のタイプのデバイスによって復号可能で、前記第１の情報と同一のチャネルを占有する第３の情報をさらに具備する、Ｃ１６の方法。
［Ｃ２２］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、Ｃ１６の方法。
［Ｃ２３］
装置によるワイヤレス通信のための方法であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有するフレームを取得することと、
前記第１の情報および前記第１の部分における１つ以上のフィールドに少なくとも一部基づいて、チャネル推定を生成することと、
前記チャネル推定に基づいて、前記第２の部分の少なくともいくつかを復号することと、
を具備する、方法。
［Ｃ２４］
前記第１の部分の前記１つ以上のフィールドは、ショートトレーニングフィールド（ＳＴＦ）、またはヘッダーフィールドの内の少なくとも１つを具備する、Ｃ２３の方法。
［Ｃ２５］
前記複数のチャネルは、少なくとも２つの隣接するチャネルを具備する、Ｃ２３の方法。
［Ｃ２６］
前記複数のチャネルは、前記第１のタイプのデバイスと通信するために指定されたチャネルを具備する、Ｃ２３の方法。
［Ｃ２７］
前記第２の情報は、前記チャネルの各々の幅の、おおよそ、１／４であるギャップを占有する、Ｃ２３の方法。
［Ｃ２８］
前記第２の情報は、ショートトレーニングフィールド（ＳＴＦ）、またはチャネル推定（ＣＥ）のための情報およびヘッダーを持ったフィールドの内の少なくとも１つを具備する、Ｃ２３の方法。
［Ｃ２９］
前記フレームは、前記第１および第２のタイプのデバイスによって復号可能で、前記第１の情報と同一のチャネルを占有する第３の情報をさらに具備し、
前記方法は、前記第３の情報に基づいて、前記部分に含まれたデータを復号することを具備する、Ｃ２３の方法。
［Ｃ３０］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し
前記方法は、前記ＳＴＦ、またはＣＥのための情報を持った前記フィールドの内の少なくとも１つに基づいて、前記部分に含まれたデータを復号することを具備する、Ｃ２３の方法。
［Ｃ３１］
ワイヤレス通信のための装置であって、
複数のチャネル上で送信するためのフレームを生成する手段と、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力するための手段と、を具備する、装置。
［Ｃ３２］
前記複数のチャネルは、少なくとも２つの隣接するチャネルを具備する、Ｃ３１の装置。
［Ｃ３３］
前記複数のチャネルは、前記第１のタイプのデバイスと通信するために指定されたチャネルを具備する、Ｃ３１の装置。
［Ｃ３４］
前記第２の情報は、前記チャネルの各々の幅の、おおよそ１／４であるギャップを占有する、Ｃ３１の装置。
［Ｃ３５］
前記第２の情報は、ショートトレーニングフィールド（ＳＴＦ）、またはチャネル推定（ＣＥ）のための情報を持ったフィールドの内の少なくとも１つを具備する、Ｃ３１の装置。
［Ｃ３６］
前記フレームは、前記第１および第２のタイプのデバイスによって復号可能で、前記第１の情報と同一のチャネルを占有する第３の情報をさらに具備する、Ｃ３１の装置。
［Ｃ３７］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備する、Ｃ３１の装置。
［Ｃ３８］
ワイヤレス通信のための装置であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有するフレームを取得する手段と、
前記第１の情報および前記第１の部分における１つ以上のフィールドに少なくとも一部基づいて、チャネル推定を生成する手段と、
前記チャネル推定に基づいて、前記第２の部分の少なくともいくつかを復号する手段と、
を具備する、装置。
［Ｃ３９］
前記第１の部分の前記１つ以上のフィールドは、ショートトレーニングフィールド（ＳＴＦ）、またはヘッダーフィールドの内の少なくとも１つを具備する、Ｃ３８の装置。
［Ｃ４０］
前記複数のチャネルは、少なくとも２つの隣接するチャネルを具備する、Ｃ３８の装置。
［Ｃ４１］
前記複数のチャネルは、前記第１のタイプのデバイスと通信するために指定されたチャネルを具備する、Ｃ３８の装置。
［Ｃ４２］
前記第２の情報は、前記チャネルの各々の幅の、おおよそ１／４であるギャップを占有する、Ｃ３８の装置。
［Ｃ４３］
前記第２の情報は、ショートトレーニングフィールド（ＳＴＦ）、またはチャネル推定（ＣＥ）およびヘッダーのための情報を持ったフィールドの内の少なくとも１つを具備する、Ｃ３８の装置。
［Ｃ４４］
前記フレームは、前記第１および第２のタイプのデバイスによって復号可能で、前記第１の情報と同一のチャネルを占有する第３の情報をさらに具備し、
前記装置は、前記第３の情報に基づいて、前記部分に含まれたデータを復号する手段を具備する、Ｃ３８の装置。
［Ｃ４５］
前記部分は、前記複数のチャネルおよび前記ギャップにまたがるショートトレーニングフィールド（ＳＴＦ）、または前記複数のチャネルおよび前記ギャップにまたがるチャネル推定（ＣＥ）のための情報を持ったフィールドの内の少なくとも１つを具備し、
前記装置は、前記ＳＴＦ、またはＣＥのための情報を持った前記フィールドの内の少なくとも１つに基づいて、前記部分に含まれたデータを復号する手段を具備する、Ｃ３８の装置。
［Ｃ４６］
命令が記憶されたコンピュータ読取可能媒体であって、
複数のチャネル上で送信するためのフレームを生成することと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
送信のための前記フレームを出力することと、
のための、媒体。
［Ｃ４７］
命令が記憶されたコンピュータ読取可能媒体であって、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分と、
前記第１の情報および前記第１の部分における１つ以上のフィールドに少なくとも一部基づいて、チャネル推定を生成することと、
前記チャネル推定に基づいて、前記第２の部分の少なくともいくつかを復号することと、
のための、媒体。
［Ｃ４８］
アクセス端末であって、
少なくとも１つのアンテナと、
複数のチャネル上で送信するためのフレームを生成するように構成された処理システムと、
前記フレームは、
第１および第２のタイプのデバイスによって復号可能で処理するための、プリアンブル、チャネル推定、またはヘッダー情報の内の少なくとも１つを具備する第１の情報と、そして、ここで、前記第１の情報は、前記フレームの送信の間に、前記複数のチャネルの各々において繰り返され、
前記第２のタイプのデバイスによって復号可能で処理するための、プリアンブル、チャネル推定、またはヘッダー情報の内の少なくとも１つを具備する第２の情報と、そして、ここで、前記第２の情報は、前記フレームの送信の間に、前記複数のチャネル間のギャップを占有し、
前記複数のチャネルおよび前記ギャップにまたがる部分とを有し、
前記少なくとも１つのアンテナを介して前記フレームを送信するように構成された送信機と、を具備する、アクセス端末。
［Ｃ４９］
アクセス端末であって、
少なくとも１つのアンテナと、
前記少なくとも１つのアンテナを介してフレームを受信するための受信機と、
前記フレームは、
第１および第２のタイプのワイヤレスデバイスによって復号可能で処理するための、第１の部分と、前記第１の部分は、複数のチャネルの各々を占有し、
前記第２のタイプのデバイスによって復号可能で処理するための、プリアンブル、チャネル推定、またはヘッダー情報の内の少なくとも１つを具備する第１の情報と、前記第１の情報は、前記複数のチャネル間のギャップを占有し、
前記複数のチャネルおよび前記ギャップにまたがる第２の部分とを有し、
前記第１の情報および前記第１の部分における１つ以上のフィールドに少なくとも一部基づいて、チャネル推定を生成し、前記チャネル推定に基づいて、前記第２の部分の少なくともいくつかを復号するように構成された処理システムと、を具備する、アクセス端末。